(57)【要約】【課題】摩耗を低減でき、部品点数を低減できるラジエータサポートの提供。【解決手段】ラジエータ２０とラジエータ２０を支持するラジエータ支持部材３０との間に介装された、弾性材からなるラジエータサポート１０であって、別ピースの第１の部材１１と第２の部材１２から構成され、第１の部材１１と第２の部材１２はそれぞれの接触面１３ａ、１３ｂで互いに接触可能であり各接触面１３ａ、１３ｂの少なくとも一部は下方に拡がるテーパ面１４ａ、１４ｂに形成されているラジエータサポート１０。【選択図】　　　　図１
2004090743.tif 000002
【特許請求の範囲】
【請求項１】
ラジエータと該ラジエータを支持するラジエータ支持部材との間に介装された、弾性材からなるラジエータサポートであって、
別ピースの２つの部材から構成され、該２つの部材はそれぞれの接触面で互いに接触可能であり各接触面の少なくとも一部は下方に拡がるテーパ面に形成されているラジエータサポート。
【発明の詳細な説明】
【０００１】
【発明の属する技術分野】
本発明は、車両に搭載されるラジエータを支持するラジエータサポートに関し、とくにラジエータアッパーサポートに関する。
【０００２】
【従来の技術】
従来のラジエータサポートは、▲１▼図５に示す、Ａタイプのラジエータサポート（たとえば、特開平８−１８３３５１号公報）１ａと、▲２▼図６に示す、Ｂタイプのラジエータサポート１ｂがある。
【０００３】
【発明が解決しようとする課題】
しかし、従来のラジエータサポートには、つぎの問題点（課題）がある。
▲１▼　Ａタイプ
ラジエータサポート１ａとラジエータ２のピン２ａとの接触部３に摩耗が発生する。
▲２▼　Ｂタイプ
ラジエータサポート１ｂの変形部（薄膜部）１ｃが変形するため、ラジエータサポート１ｂとラジエータ２のピン２ａとの相対動き量が小になり、ラジエータサポート１ｂとラジエータ２のピン２ａとの接触部３の摩耗には有利である。しかし、ラジエータサポート１ｂがテーパ形状でないため、組付性がよくない。そのため、組付性をよくするために図示略のブラケットを必要とし、部品点数が多くなる。
本発明の第１の目的は、ラジエータサポートの摩耗を低減できるラジエータサポートを提供することにある。
本発明の第２の目的は、部品点数を低減できるラジエータサポートを提供することにある。
【０００４】
【課題を解決するための手段】
上記目的を達成する本発明はつぎの通りである。
ラジエータと該ラジエータを支持するラジエータ支持部材との間に介装された、弾性材からなるラジエータサポートであって、
別ピースの２つの部材から構成され、該２つの部材はそれぞれの接触面で互いに接触可能であり各接触面の少なくとも一部は下方に拡がるテーパ面に形成されているラジエータサポート。
【０００５】
上記本発明のラジエータサポートでは、ラジエータサポートが２ピースからなり、それぞれの接触面で互いに接触可能であるので、サポート同士（ゴム同士）の接触面ができる。そのため、ゴムの変形によってゴムの表面同士の相対変位が減り、ラジエータサポートの摩耗を低減できる。
また、ラジエータサポートが２ピースからなり、それぞれの接触面で互いに接触可能であり、各接触面の少なくとも一部は下方に拡がるテーパ面に形成されているので、組付性がよい。そのため、組付性をよくするため従来必要であったブラケット等は不要である。
【０００６】
【発明の実施の形態】
図１、図２は、本発明実施例１のラジエータサポートを示しており、図３、図４は、本発明実施例２のラジエータサポートを示している。
本発明実施例１と本発明実施例２にわたって共通する部分には、本発明実施例１と本発明実施例２にわたって共通する符号を付してある。
まず、本発明実施例１と本発明実施例２にわたって共通する部分を、たとえば図１を参照して、説明する。
本発明実施例のラジエータサポート１０は、ラジエータ２０と、ラジエータ２０を支持するラジエータ支持部材３０との間に介装される。
【０００７】
ラジエータ２０は、車両に搭載されるラジエータである。ラジエータ２０は、ピン部２１を有する。ピン部２１は、ラジエータ２０の上端部に設けられる。ピン部２１は、たとえば樹脂製である。
ラジエータ支持部材３０は、金属製である。ラジエータ支持部材３０は、ラジエータ２０の上部またはその近傍に位置し、ラジエータ２０を上部で支持する剛体部材である。ラジエータ支持部材３０は、ラジエータサポート１０が取り付けられるラジエータサポート取付け部３１を有する。ラジエータサポート取付け部３１は、たとえば、ラジエータ支持部材３０に穴を開けた後にバーリング曲げ加工を施すことで形成される。
【０００８】
ラジエータサポート１０は、弾性材を含んでおり、弾性材はたとえばゴムである。ラジエータサポート１０は、ラジエータ２０のピン部２１を支持するラジエータアッパサポートである。
ラジエータサポート１０は、別ピースの２つの部材から構成され、ラジエータ２０のピン部２１にゴムの圧縮変形を伴って圧入される第１の部材１１と、ラジエータ支持部３０のラジエータサポート取付け部３１に取り付けられる（嵌入される）第２の部材１２と、からなる。
第１の部材１１と第２の部材１２は、１部材からなるラジエータサポートを切断して形成されてもよく、異なる製造型で別個に形成されてもよい。
第１の部材１１と第２の部材１２は、環状構造をとっている。
第１の部材１１の内周面１１ａの少なくとも一部は、ラジエータ２０のピン部２１に密着している。第２の部材１２の外周面には、環状に半径方向に凹む凹溝１２ａが形成されている。第２の部材１２は、凹溝１２ａにラジエータ支持部材３０のラジエータサポート取付け部３１を嵌め込むことで、ラジエータ支持部材３０に取り付けられる。
【０００９】
第１の部材１１と第２の部材１２とは、それぞれの接触面１３で互いに接触可能である。接触面１３は、第１の部材１１が第２の部材１２に接触する、第１の部材１１の接触面１３ａと、第２の部材１２が第１の部材１１に接触する、第２の部材１２の当接面１３ｂと、からなる。
接触面の少なくとも一部は、下方に拡がるテーパ面１４に形成されている。テーパ面１４は、第１の部材１１に形成される、第１の部材１１のテーパ面１４ａと、第２の部材１２に形成される、第２の部材１２のテーパ面１４ｂと、からなる。
第１の部材１１と第２の部材１２は、テーパ面１４の垂直方向には当接し合い、テーパ面１４と平行方向には摺動して擦れ合う。
【００１０】
ラジエータサポート１０は、第１の部材１１をあらかじめラジエータ２０のピン部２１に圧入しておき、第２の部材１２をラジエータ支持部３０のラジエータサポート取付け部３１に取付け、第２の部材１２が取り付けられたラジエータ支持部３０をラジエータ２０の上部に配置して、ラジエータ２０とラジエータ支持部３０の間に装着される。
【００１１】
つぎに、本発明実施例１と本発明実施例２にわたって共通する部分の作用を説明する。
▲１▼　ラジエータサポート１０が２ピース１１、１２からなり、それぞれの接触面１３で互いに接触可能であるので、サポート同士（ゴム同士）の接触面ができる。そのため、ラジエータ２０が上下方向に振動したときの摩擦部位を接触面１３にすることができる。そのため、ゴムの変形によってゴムの表面同士の相対変位が減り、ラジエータサポート１０の摩耗を低減できる。
▲２▼　ラジエータサポート１０が２ピース１１、１２からなり、摩擦部位をそれぞれの接触面１３にすることができるので、従来に比べて、摩擦部位の半径が大きくなり、摩擦部位の面積が大きくなる。そのため、ラジエータサポート１０の摩耗を従来より低減できる。
▲３▼　ラジエータサポートが２ピース１１、１２からなり、各接触面１３ａ、１３ｂの少なくとも一部は下方に拡がるテーパ面１４ａ、１４ｂに形成されているので、組付性がよい。そのため、組付性をよくするため従来必要であったブラケット等は不要である。
▲４▼　各接触面１３ａ、１３ｂの少なくとも一部が下方に拡がるテーパ面１４ａ、１４ｂに形成されているので、第１の部材１１がラジエータ２０のピン部２１から上方に抜けて脱落することはない。
▲５▼　第１の部材１１は、ラジエータ２０のピン部２１に圧入されるので、第１の部材１１とラジエータ２０のピン部２１との間で摩耗が発生することを低減できる。
【００１２】
つぎに、本発明各実施例に特有な部分を説明する。
本発明実施例１のラジエータサポート１０は、従来の、Ａタイプのラジエータサポート（図５参照）に対応する。
本発明実施例１では、図１、図２に示すように、第１の部材１１の接触面１３ａは、第１の部材１１の外周面１１ｂからなる。第１の部材１１の接触面１３ａは、第１の部材１１の軸方向（上下方向）全長にわたっている。第１の部材１１のテーパ面１４ａは、第１の部材１１の接触面１３ａの全体に形成されている。
第２の部材１２の接触面１３ｂは、第２の部材１２の内周面１２ｂからなる。第２の部材１２の接触面１３ｂは、第２の部材１２の軸方向（上下方向）全長にわたっている。第２の部材１２のテーパ面１４ｂは、第２の部材１２の接触面１３ｂの全体に形成されている。
本発明実施例１のラジエータサポート１０では、第１の部材１１の接触面１３ａが第１の部材１１の軸方向全長にわたっており、第２の部材１２の接触面１３ｂが第２の部材１２の軸方向全長にわたっているため、接触面１３の面積は大きい。そのため、摩耗が低減される。
【００１３】
本発明実施例２のラジエータサポート１０は、従来の、Ｂタイプのラジエータサポート（図６参照）に対応する。
本発明実施例２のラジエータサポート１０では、図３、図４に示すように、第１の部材１１は、内周面１１ａがラジエータ２０のピン部２１に密着し半径方向外方に延びる台座部１１ｃと、台座部１１ｃの半径方向中間部から上方に立ち上がる立ち上がり部１１ｄと、からなる。
第１の部材１１の接触面１３ａは、図４に示すように、第１の部材１１の台座部１１ｃの上面のうち立ち上がり部１１ｄより半径方向外側に位置する上面１１ｅと、立ち上がり部１１ｄの半径方向外側の面１１ｆと、からなる。
第１の部材１１のテーパ面１４ａは、第１の部材１１の立ち上がり部１１ｄの半径方向外側面１１ｆに形成されている。
【００１４】
第２の部材１２は、第１の部材１１の台座部１１ｃの半径方向外側端より半径方向外方に位置する外筒部１２ｃと、第１の部材１１の立ち上がり部１１ｄの上方に位置する内筒部１２ｄと、外筒部１２ｃの半径方向内側端と内筒部１２ｄの半径方向外側端とを連結し内外筒部間の上下方向相対変形を可能にする変形部１２ｅと、からなる。
変形部１２ｅの下端は内筒部１２ｄの下端より上方にあり、変形部１２ｅの上端は外筒部１２ｃおよび内筒部１２ｄの上端より下方にある。変形部１２ｅの下面には上方かつ半径方向内側に延びる切欠き１２ｆが設けられていてもよい（図３では切欠き１２ｆが設けられている場合を示しており、図４では切欠き１２ｆが設けられていない場合を示している）。
第２の部材１２の接触面１３ｂは、第２の部材１２の内筒部１２ｄの下面１２ｇと、内筒部１２ｄの下端部の内周面と、からなる。
第２の部材１２のテーパ面１４ｂは、第２の部材１２の内筒部１２ｄの下端部の内周面に形成されている。
【００１５】
本発明実施例２では、変形部１２ｅが設けられているので、ラジエータ２０の上下振動に同期して内筒部１２ｄを上下運動させ、ラジエータ２０のピン部２１とラジエータサポート１０の相対動きを縮小させ摩耗に有利となる。
【００１６】
【発明の効果】
請求項１記載のラジエータサポートによれば、ラジエータサポートが２ピースからなり、それぞれの接触面で互いに接触可能であるので、サポート同士（ゴム同士）の接触面ができる。そのため、ゴムの変形によってゴムの表面同士の相対変位が減り、ラジエータサポートの摩耗を低減できる。
また、ラジエータサポートが２ピースからなり、それぞれの接触面で互いに接触可能であり、各接触面の少なくとも一部は下方に拡がるテーパ面に形成されているので、組付性がよい。そのため、組付性をよくするため従来必要であったブラケット等は不要である。
【図面の簡単な説明】
【図１】本発明実施例１のラジエータサポートとその近傍を示す断面図である。
【図２】本発明実施例１のラジエータサポートの断面図である。
【図３】本発明実施例２のラジエータサポートとその近傍を示す断面図である。
【図４】本発明実施例２のラジエータサポートの断面図である。
【図５】従来の、Ａタイプのラジエータサポートと、ラジエータのピンを示す断面図である。
【図６】従来の、Ｂタイプのラジエータサポートと、ラジエータのピンを示す断面図である。
【符号の説明】
１０　ラジエータサポート
１１　第１の部材
１２　第２の部材
１３　接触面
１３ａ　第１の部材の接触面
１３ｂ　第２の部材の接触面
１４　テーパ面
１４ａ　第１の部材のテーパ面
１４ｂ　第２の部材のテーパ面
２０　ラジエータ
２１　ラジエータのピン部
３０　ラジエータ支持部
３１　ラジエータサポート取付け部
【図１】
2004090743.tif 000003
【図２】
2004090743.tif 000004
【図３】
2004090743.tif 000005
【図４】
2004090743.tif 000006
【図５】
2004090743.tif 000007
【図６】
2004090743.tif 000008